(57)【要約】【課題】簡単に製造できて、ティースの振動を低減することができるリラクタンスモータ用のステーターコアを提供する。【解決手段】ステーターコア1は、円環状のヨーク部12と、ヨーク部12に一体に成形された複数のティース11とを具える。各ティース11は、ヨーク部12の内周側からモータの回転軸Cmに向かって、モータの径方向に突出し、ヨーク部12の内周面12iに等間隔に配置される。ヨーク部12は、コイルエンド側の一部にティース11のコイルエンド面11eからモータの回転軸Cmの方向に突出した突出部12Bを有する。突出部12Bは、ヨーク部12においてティース11が存在しない範囲Anの全域に亘って設けられている。ヨーク部12においてティース11が連結される範囲Atと範囲Anとの境界bと内周側縁12Iとが交差する角部を厚肉とすることで、コア1の剛性を高め、ティース11の振動を低減する。【選択図】図1
2008295185.tif 000002
【特許請求の範囲】
【請求項１】
環状のヨーク部と、ヨーク部の内周側から突出し、間隔をあけて配置される複数のティースとを具えるリラクタンスモータ用のステーターコアであって、
前記ヨーク部と前記ティースとは、一体に成形されており、
前記ティースは、コイルエンド面を有しており、
前記ヨーク部は、
コイルエンド側の少なくとも一部に、前記ティースのコイルエンド面よりも突出した突出部を有しており、
前記突出部は、
ヨーク部において各ティースが連結される範囲とティースが存在しない範囲との境界をとり、隣り合う二つのティースに対する境界のうち、前記ティースが存在しない範囲を構成する二つの境界をそれぞれ、第一の境界、第二の境界とするとき、第一の境界から第二の境界までの範囲において、いずれか一方の境界とヨーク部の内周側縁とが交差する角部を含むように設けられていることを特徴とするステーターコア。
【請求項２】
前記突出部は、前記第一の境界と前記第二の境界とに挟まれる範囲の全域に亘って設けられていることを特徴とする請求項1に記載のステーターコア。
【請求項３】
前記ヨーク部の外周面に接するようにケースが配置され、
前記ヨーク部の外周面のうち、ティースが連結される範囲及びその近傍の範囲における外周面が前記ケースに接しないようにヨーク部とケースとの間に隙間を有していることを特徴とする請求項1に記載のステーターコア。
【請求項４】
前記突出部は、前記ヨーク部におけるケースに接触していない範囲の全域に亘って設けられていることを特徴とする請求項3に記載のステーターコア。
【請求項５】
前記突出部において、前記ティースのコイルエンド面から突出する大きさを突出部の突出長さとするとき、前記突出部の突出長さは、ティースの外周に配置されるコイルがティースのコイルエンド面から突出する大きさに等しいことを特徴とする請求項1に記載のステーターコア。
【請求項６】
ステーターコアは、圧粉成形体であることを特徴とする請求項1に記載のステーターコア。
【発明の詳細な説明】
【技術分野】
【０００１】
本発明は、リラクタンスモータに利用されるステーターコアに関する。特に、簡単な構造でありながら、ティースの振動を低減可能なリラクタンスモータ用のステーターコアに関するものである。
【背景技術】
【０００２】
リラクタンスモータは、構造が簡単であり、比較的安価に製造できる。このモータは、複数の突極を有するローターと、ローターを囲むように配置される円環状のステーターとを具える構成が代表的である。ステーターは、円環の内周面からローター側に向かって突出する複数のティースが同内周面に等間隔に配される。これらティースの外周には、励磁用のコイルがそれぞれ配される。ステーターの外周には、通常、保護用のケース(又はハウジング)が配される。ステーターは、複数の鋼板を積層させてなるものが代表的である。
【０００３】
ティースに配されるコイルを適宜励磁すると、励磁コイルを有するティース(磁極)は、ローターとの間の磁気吸引力によりモータの径方向内方に向かって変形しようとする力が働く。一方、非励磁コイルを有するティースは、上記径方向内方に作用する力の反力により、逆に径方向外方に変形しようとする力が働く。このようにコイルへの励磁と非励磁とを繰り返すことで、ティースは、上記径方向に作用する力により径方向に振動する。また、この振動によりステーターの一部がケースに接触して騒音が生じる。
【０００４】
上記振動の低減を図る構成として、例えば、特許文献1に記載のリラクタンスモータがある。このモータは、第一突極を有するローターと、第一磁極(ティース)を有するステーターとを有し、ステーターは、第一磁極の背面(モータの径方向外方)側に第二磁極及び第二突極を有する。そして、このモータは、第一突極と第一磁極との間に働く磁気吸引力を第二磁極と第二突極との間に働く磁気吸引力で打ち消すことで、振動の低減を図る。上記騒音の発生低減を図る構成として、例えば、特許文献2に記載のリラクタンスモータがある。このモータは、ステーターコアのヨークにおいてティースが連結される範囲及びその近傍における外周面側を切削し、ティースを変形し易くすると共に、ケース(フレーム)とコアとの間に隙間を設けている。この隙間により磁気吸引力によるティースの振動がケースに伝搬され難くすることで、このモータは、騒音の発生低減を図る。
【０００５】
【特許文献１】特開平5-268751号公報
【特許文献２】特開平11-155269号公報
【発明の開示】
【発明が解決しようとする課題】
【０００６】
しかし、特許文献1に記載のステーターは、非常に複雑な構造であり、製造性に劣る。特許文献2に記載のステーターは、比較的簡単な構造であるものの、ヨークにおいてティースが連結される範囲及びその近傍を薄肉にしてティースが振動し易い構成としているため、騒音発生の更なる低減を図ることが難しい。
【０００７】
そこで、本発明の目的の一つは、比較的簡単な構造でありながら、ティースの振動を低減できるリラクタンスモータ用のステーターコアを提供することにある。
【課題を解決するための手段】
【０００８】
本発明は、ヨーク部の特定の部分を厚肉にして剛性を高めることで、上記目的を達成する。具体的には、本発明は、環状のヨーク部と、ヨーク部の内周側から突出し、間隔をあけて配置される複数のティースとを具えるリラクタンスモータ用のステーターコアであり、上記ヨーク部と上記ティースとは、一体に成形されている。ティースは、コイルエンド面を有しており、ヨーク部は、コイルエンド側の少なくとも一部に、上記ティースのコイルエンド面よりも突出した突出部を有する。この突出部は、ヨーク部において各ティースが連結される範囲とティースが存在しない範囲との境界をとるとき、この境界とヨーク部の内周側縁とが交差する角部を含む領域に設けられている。特に、隣り合うティースに対する境界のうち、上記ティースが存在しない範囲を構成する二つの境界をそれぞれ、第一の境界、第二の境界とするとき、第一の境界から第二の境界までの範囲において、いずれか一方の境界とヨーク部の内周側縁とが交差する角部を含むように突出部が設けられている。
【０００９】
なお、ステーターコアやこのコアにコイルを具えたステーターにおいて、モータの回転軸に向く側をコイルエンド側、この側に配される面をコイルエンド面と呼び、あるティースが別のティースと隣り合う側をコイルサイド側、この側に配される面をコイルサイド面と呼ぶ。
【００１０】
ヨーク部とティースとが一体に成形されている場合、磁気吸引力によりティースがモータの径方向に変形しようとする力は、ヨーク部の少なくとも一部にも加えられる。従って、ヨーク部において上記力が作用する部分の剛性が高ければ、ティースがモータの径方向に変形することを低減することができる。即ち、ティースの振動を低減できる。この知見に基づき、本発明コアは、ヨーク部において上記力が作用し易い部分を厚肉にして、即ちこの部分に突出部を有するようにして、剛性を高める。本発明コアは、このようにヨーク部の特定箇所の剛性を高めることで、ティースの振動を効果的に低減できる。従って、本発明コアは、リラクタンスモータのステーターコアに利用した際、騒音の発生低減に寄与すると期待される。また、本発明コアは、ヨーク部の少なくとも一部を厚肉にするといった簡単な構造であるため、製造性に優れる。以下、本発明をより詳しく説明する。
【００１１】
本発明コアは、環状のヨーク部と、複数のティースとが一体に成形されており、ティースの外周に巻線からなるコイルを具えることで、リラクタンスモータのステーターに利用される。このコアの外周には、通常、保護などのためにケース(又はハウジング)が配置される。
【００１２】
各ティースは、ヨーク部の内周側からモータの中心(回転軸)に向かって突出した柱状であり、互いに間隔をあけて、代表的には等間隔にヨーク部の内周面に配置される。各ティースは、一対のコイルエンド面と一対のコイルサイド面とを有する構成が代表的である。隣り合うティース間の空間は、コイルの収納部(スロット)に利用される。ティース数は、適宜選択することができる。例えば、ローターの突極数とティース数の組合せとして、(ローターの突極,ティース)＝(2,4),(4,6)などが挙げられる。
【００１３】
ヨーク部は、代表的には、円環状が挙げられる。円環の外周側の一部が切り欠かれた形状でもよい。また、ヨーク部は、コイルエンド側において少なくとも一部がティースのコイルエンド面よりも突出した突出部を有する。特に、突出部は、ティースがモータの径方向に変形しようとするときの力が比較的大きく作用する部分に少なくとも設けられる。このような部分として、ヨーク部において各ティースが連結される箇所の近傍、具体的には、ティースが連結される範囲とティースが存在しない範囲との境界をとるとき、この境界とヨーク部の内周側縁とが交差する角部が挙げられる。特に、隣り合う二つのティースに対する四つの境界のうち、ティースが存在しない範囲を構成する二つの境界をそれぞれ第一の境界、第二の境界とする。即ち、隣り合う二つのティースのうち、一方のティースに対する一つの境界を第一の境界、他方のティースに対する境界で第一の境界に隣り合う境界を第二の境界とする。これら第一の境界及び第二の境界は、隣り合う二つのティースに挟まれるように位置する。このような第一の境界と第二の境界をとるとき、第一の境界から第二の境界までの範囲には、上記角部が二つ設けられる。この二つの角部のうち、少なくとも一方を含むように突出部が設けられる。
【００１４】
一つのティースに対して、ヨーク部におけるティースが連結される範囲とティースが存在しない範囲との境界は、二つ存在する。少なくとも一方の境界を含むように突出部が設けられている、即ち、一つのティースに対して少なくとも一方のコイルサイド側に突出部が存在すれば、剛性を高められる。一つのティースに対して両コイルサイド側にそれぞれ突出部が存在すれば、両コイルサイド側の突出部が均一的に磁気吸引力を分担することができ、ティースの振動をより低減することができると考えられる。
【００１５】
ヨーク部のいずれか一方のコイルエンド側に突出部を具える場合、コアの構成材料を低減できる。一方、ヨーク部の両コイルエンド側に突出部を具える場合、剛性をより高くすることができる。また、この場合、突出部は、両コイルエンド側において対称な位置に対称な形状となるように設けられる、即ち、対称形状のコアであると、製造性に優れる。例えば、本発明コアを圧粉成形体とする場合、対称形状であると、加圧を均一的に行え、高精度に製造することができる。
【００１６】
上記突出部が設けられるモータの径方向の範囲は、ヨーク部の内周側縁からヨーク部の外周側縁までの距離をヨーク厚さとするとき、内周側縁からヨーク厚さの1/2以上であることが好ましい。更に、この範囲は、ヨーク厚さと等しい、即ち、ヨーク部の内周側縁から外周側縁までの全域に亘って突出部が設けられると、剛性をより高められて好ましい。
【００１７】
上記突出部が設けられるヨーク部の周方向の範囲は、ティースに配置されるコイルにおいて、ティースのコイルサイド面から突出する大きさをコイル突出幅とするとき、第一の境界から第二の境界に向かう方向に、第一の境界からコイル突出幅の1/2以上であることが好ましい。更に、この範囲は、コイル突出幅と等しいことが好ましく、第一の境界と第二の境界とで挟まれる範囲の全域に亘って、つまり、第一の境界における角部と第二の境界における角部との間を連続するように突出部が設けられると、剛性をより高められて好ましい。
【００１８】
上記突出部が設けられるヨーク部の周方向の範囲をヨーク部の全域とする、即ち、ヨーク部は、コイルエンド側においてその全域に突出部を具え、コイルエンド側の全域がティースのコイルエンド面よりも突出した構成であると、最も剛性を高められる。一方、上記突出部が設けられるヨーク部の周方向の範囲をヨーク部の一部とする、即ち、ヨーク部のコイルエンド側の一部にのみ突出部を具え、残部がティースのコイルエンド面と面一な構成であると、コアの構成材料を低減できると共に、軽量化を図ることができて好ましい。
【００１９】
なお、ヨーク部においてティースが連結される範囲、即ち、一つのティースに対して存在する二つの境界間にのみ突出部が設けられ、同境界よりもコイルサイド側に突出部が存在しない場合、振動周波数が変化するだけで、ティースの振動を低減する効果は得られないと考えられる。
【００２０】
上記突出部が設けられるモータの回転軸方向の範囲(突出部においてティースのコイルエンド面から突出する大きさを突出部の突出長さとするとき、突出部の突出長さに該当)は、ティースの外周に配置されるコイルがティースのコイルエンド面から突出する大きさをコイルの突出長さとするとき、コイル突出長さの1/2以上であることが好ましい。この範囲は、大きいほど剛性を高められる。また、この範囲がコイル突出長さと等しいコアである場合、このコアにコイルを組合せたステーターの大きさは、突出部を有していない従来のコアにコイルを組合せたステーターの大きさと同等である。即ち、突出部を有するコアであっても、このコアを具えるステーター(或いは本発明コアを有するステーターを具えるモータ)を、従来のステーター(或いはこの従来のステーターを具えるモータ)と同程度の大きさとすることができる。
【００２１】
ヨーク部は、その外周面全面がケースの内周面と接する形状としてもよい。即ち、ヨーク部の外周形状とケースの内周形状とを等しくすることができる。このとき、本発明コアは、上述のように突出部によりコアの剛性を高めてティースの振動を低減するため、ティースの振動によりケースとコアとが接触して騒音が発生することを効果的に低減できる。
【００２２】
或いは、ヨーク部は、その外周面の一部がケースの内周面と接触せず、残部が接する形状としてもよい。即ち、ヨーク部の外周形状とケースの内周形状とが異なっており、ケースの内周面とヨーク部の外周面との間に部分的に隙間ができる構成としてもよい。特に、ヨーク部は、ティースが振動した際、ケースにティースが接触しないように、その外周面の一部を切り欠いた形状とし、ケースの内周面とヨーク部の外周面との間に隙間を有することで、ティースの振動がケースに伝搬されない構成とすることが好ましい。ヨーク部を切り欠く範囲、即ちコアにおいて隙間が設けられる範囲は、ティースの振動がケースに伝搬されないように適宜設計するとよく、ヨーク部においてティースが連結される範囲及びその近傍、つまり一つのティースに対する二つの境界に挟まれる範囲及びその近傍が挙げられる。なお、この構成は、ヨーク部においてティースが連結される部分のヨーク厚さが小さく剛性が低いため、ティースが振動し易い。しかし、本発明コアは、上述のようにヨーク部においてティースが連結される部分近傍に少なくとも突出部を具えて剛性を高めることで、ティースの振動を低減することができる。突出部は、上述のヨーク部におけるケースに接触していない範囲(ティースが連結される範囲及びその近傍の範囲)において、上述のように第一の境界又は第二の境界とヨーク部の内周側縁とが交差する角部を少なくとも含むように設けられていればよい。特に、上記ケースに接触していない範囲の全域に亘って突出部が設けられると、ティースの振動をより低減し易く、かつ仮に振動してもその振動がケースに伝えられ難いことから、騒音の発生をより効果的に低減できると考えられる。
【００２３】
突出部の形状は、特に問わないが、コイルエンド側及びコイルサイド側が平面で構成される形状とすると、製造し易い。例えば、本発明コアを圧粉成形体といった材料粉末を加圧して製造する場合、上記平面で構成される形状は、加圧を十分に行い易く、成形精度も優れる。
【００２４】
本発明コアは、ローターとの間の磁気吸引力によりティースがモータの径方向に変形しようとするときの力に耐え得るような剛性を有することができる材料にて構成するとよい。例えば、鉄や鋼といった軟磁性材料などの磁性材料からなる板材を積層させて構成したり、上記磁性材料の粉末やこのような粉末表面に絶縁被覆を形成した被覆粉末を用いた圧粉成形体で構成することが挙げられる。特に、圧粉成形体は、複雑な形状であっても簡単に製造することができて好ましい。ケースの構成材料も磁性材料が利用できる。
【発明の効果】
【００２５】
本発明のリラクタンスモータ用のステーターコアは、簡単に製造できると共に、ティースの振動を低減することができる。
【発明を実施するための最良の形態】
【００２６】
＜実施例1＞
図1(I)は、本発明リラクタンスモータ用のステーターコアをコイルエンド側から見た正面図、(II)は、このコアを外周側から平面的に見た部分図である。コア1は、円環状のヨーク部12と、ヨーク部12に一体に成形された複数のティース11とからなる磁性部材である。各ティース11は、ヨーク部12の内周側からモータの回転軸Cmに向かって、モータの径方向に突出する柱状部材であり、ヨーク部12の内周面12iに所定の間隔を空けて等間隔に配置される。コア1の特徴とするところは、ヨーク部12のコイルエンド側の形状にあり、コイルエンド側の一部にティース11のコイルエンド面11eからモータの回転軸Cmの方向(以下、この方向を軸方向と呼ぶ)に突出した突出部12Bを有する。以下、この点を中心に説明する。
【００２７】
各ティース11は、モータの軸方向に向くように配される一対のコイルエンド面11eと、ティース同士が隣り合う側に配されるコイルサイド面11sとを具える。各ティース11の外周にはそれぞれ、巻線を巻回してなるコイル10が配置される。コイル10は、隣り合うティース11のコイルサイド面11s間に挟まれる空間に収納される。
【００２８】
ヨーク部12は、ティース11が連結される範囲Atと、ティース11が存在しない範囲Anとがその周方向に交互に存在する。従って、一つのティースに対して両範囲At,Anの境界bが二つ存在する(第一の境界b1,第二の境界b2)。これら境界bは、ティース11のコイルサイド面11sの延長面上に存在する。突出部12Bは、一つのティースに対する第一の境界b1から、このティースに隣り合う別のティースの第二の境界b2までの範囲(範囲An)において、上記第一の境界b1とヨーク部12の内周側縁12Iとが交差する角部(図1(II)において白丸印で示す)、及び上記第二の境界b2とヨーク部12の内周側縁12Iとが交差する角部(同黒丸印で示す)との双方を含むように設けられている。これらの角部は、ステーターコア1をリラクタンスモータに使用した際、ローターとの間の磁気吸引力によりティース11がモータの径方向に変形しようとする力が比較的大きく作用する部分である。
【００２９】
この例では、範囲Anの全域に亘って突出部12Bが設けられている。また、範囲Anにおいて、ヨーク部12の内周側縁12Iから外周側縁12Oに亘る範囲の全域に亘って突出部12Bが設けられている。更に、突出部12Bにおけるティース11のコイルエンド面11eから軸方向に突出する大きさを突出部12Bの突出長さとし、コイル10がコイルエンド面11eから軸方向に突出する大きさをコイル10の突出長さとするとき、突出部12Bの突出長さLyが範囲Anの全域においてコイル10の突出長さLcと等しくなるように突出部12Bが設けられている。なお、ヨーク部12において一つのティースにおける両境界b1,b2で挟まれる範囲、即ち、範囲Atの全域は、ティース11のコイルエンド面11eと面一である。
【００３０】
このような突出部12Bを具えるヨーク部12は、コイルエンド側にティース11のコイルエンド面11eと面一である平坦面12fと、ティース11のコイルエンド面11eよりも軸方向に突出している突出面12eとを具える。また、ヨーク部12は、両面12f,12eに繋がる連結面12cと、これらの面12f,12e,12cに繋がる外周面12oと、外周面12oに対向して回転軸Cm側に配される内周面12iとを具える。
【００３１】
コア1は、磁性材料からなる粉末を所定形状の金型に充填して加圧して製造した圧粉成形体である。コア1は、ティース11よりもヨーク部12の一部が突出するという複雑な形状であるが、圧粉成形体とすることで簡単に製造できる。また、コア1の外形を構成する面の多くは、軸方向に平行な面に直交する平面であることから、製造時の加圧を行い易く、成形精度に優れる。或いは、コア1の外形を構成する面は、軸方向に平行でも直交でもなく、軸方向に交差する傾斜面とすることができる。例えば、範囲Anにおいて一方の境界から他方の境界に向かって突出部の突出長さが異なるように突出面を傾斜させてもよいし、第一の境界から範囲Anの中心に向かって突出部の突出長さが異なるように傾斜させた第一突出面と、第二の境界から同じ範囲Anの中心に向かって突出部の突出長さが異なるように傾斜させた第二突出面とを有する構成としてもよい。或いは、ヨーク部の内周側縁から外周側縁に向かって突出部の突出長さが異なるように突出面を傾斜させてもよい。傾斜させた突出面を具える構成とする場合、上述した角部側の突出長さが大きくなるように突出部を設けることが好ましい。これらの点は、後述する実施例2も同様である。
【００３２】
上記構成を具えるステーターコア1は、ヨーク部12におけるティース11の付け根部分(上述した角部)が厚肉であることから剛性が高い。そのため、このコア1をリラクタンスモータに使用した際、磁気吸引力によりティース11がモータの径方向に振動することを低減することができる。従って、コア1は、ティース11の振動による騒音発生の低減に寄与すると期待できる。特に、コア1は、ヨーク部12においてティース11が存在しない範囲Anの全域に突出部12Bを具えることで、十分に剛性を高められると考えられる。また、コア1は、ヨーク部12の周方向の全域ではなく、一部にのみ突出部を具える構成であることから、構成材料を低減できると共に、軽量化を図ることができる。更に、コア1は、両コイルエンド側に突出部12Bを有する対称な形状であることから、製造時の加圧を精度よく行うことができ、製造性に優れる。加えて、コア1は、突出部12Bの突出厚さがコイル10の突出厚さと実質的に等しいことから、このコア1を具えるステーターは、突出部を有していないステーターと同程度の大きさとすることができる。
【００３３】
なお、ステーターコア1をリラクタンスモータに使用する場合、ティースの外周にコイルを配置する。コイルは、ティースに直接巻線を巻回して形成してもよいし、別途コイルを形成しておき、ティースの内周側(回転軸Cm側)端部から挿入してもよい。巻線は、導体の外周に絶縁被覆を具えるものが代表的であり、断面円形状の丸線や断面矩形状の平角線などが利用できる。ティースの外周とコイルの内周との間に絶縁材料からなるインシュレータを介在すると、コイルとコアとの間の絶縁性を高められて好ましい。これらの点は、後述する実施例2についても同様である。なお、コア1をリラクタンスモータに使用する場合、コア1の外周にケース(又はハウジング)を配置させてもよい。
【００３４】
＜実施例2＞
上記実施例1では、ヨーク部の外周面が円筒状である構成を説明した。この例では、円筒状のヨーク部の外周面の一部が切り欠かれており、曲面の一部に平面を有する構成を説明する。図2は、本発明リラクタンスモータ用のステーターコアをコイルエンド側から見た正面図であり、コアの外周にケース(又はハウジング)を具えるものを示す。コア2の基本的構成は、実施例1のコア1と同様であり、円環状のヨーク部22と、ヨーク部22に一体に成形された複数のティース21とを具える圧粉成形体であって、ヨーク部22の両コイルエンド側において、その一部にティース21のコイルエンド面21eからモータの軸方向に突出した突出部22Bを有する。コア2の外周には、円筒状のケース100を具える。コア2は、突出部22Bが設けられている範囲と、ヨーク部22の外形(外周形状)とが実施例1のコア1と異なる。以下、この異なる点を中心に説明し、その他の点の詳細な説明は省略する。
【００３５】
ヨーク部22は、実施例1のコア1と同様に、ティース21が連結される範囲Atと、ティース21が存在しない範囲Anとがその周方向に交互に存在する。特に、ヨーク部22は、ティース21が連結される範囲At及びその近傍の範囲At+αにおいて、外周面が平面的に切り欠かれている。即ち、ヨーク部22の外周面22oは、平面22ofと断面円弧状の面(樋状面22oc)とで構成される。そのため、ヨーク部22において範囲At+αにおける外周面22o(平面22of)と円筒状のケース100との間には、隙間gが存在している。隙間gは、ティース21が振動したとき、ケース100に接触しないように大きさを設定することが好ましい。上記範囲Atの近傍は、一つのティースに対するいずれか一方の境界(ここでは、境界aと呼ぶ)から、このティースに隣り合う別のティースの境界であって、境界aに近い側に位置する境界に向かう方向の所定の大きさであり、上記隙間gが設けられる範囲を設定することで決められる。ヨーク部22の樋状面22ocは、ケース100の内周面に接する。
【００３６】
そして、この例では、ヨーク部12におけるケース100に接触していない範囲、つまり、ヨーク部22において範囲At+αの全域に亘って突出部22Bが設けられている。この範囲At+αは、ステーターコア2をリラクタンスモータに使用した際、ローターとの間の磁気吸引力によりティース21がモータの径方向に変形しようとする力が比較的大きく作用する部分を含む。具体的には、一つのティースの第一の境界b1から、この境界b1に近い側に隣り合うティースに向かう範囲において、同境界b1とヨーク部22の内周側縁22Iとが交差する角部(図2において白丸印で示す)、及び上記一つのティースの第二の境界b2から、この境界b2に近い側に隣り合うティースに向かう方向において、同境界b2とヨーク部22の内周側縁22Iとが交差する角部(同黒丸印で示す)を含む。
【００３７】
また、突出部22Bは、上記範囲At+αにおいて、ヨーク部22の内周側縁22Iから外周側縁22Oに亘る範囲の全域に亘って設けられている。かつ、突出部22Bは、突出部22B及びコイル(図示せず)におけるティース21のコイルエンド面21eから軸方向に突出する大きさをそれぞれ、突出部22Bの突出長さ、コイルの突出長さとするとき、突出部22Bの突出長さがコイルの突出長さと等しくなるように設けられている。なお、コア2は、両コイルエンド側に突出部22Bが設けられており、対称な形状である。また、ヨーク部22において上記範囲At+αを除く範囲の全域は、ティース21のコイルエンド面21eと面一である。
【００３８】
このような突出部22Bを具えるヨーク部22は、コイルエンド側にティース21のコイルエンド面21eと面一である平坦面22fと、ティース21のコイルエンド面21よりも軸方向に突出している突出面22eとを具える。また、ヨーク部22は、上記外周面22oと、外周面22oに対向して回転軸Cm側に配される内周面22iとを具える。
【００３９】
上記構成を具えるステーターコア2は、実施例1と同様にヨーク部22におけるティース21の付け根部分(上述した角部)が厚肉であることから剛性が高く、ティース21の径方向の振動を低減できる。このコア2は、ヨーク部22においてティース21が存在する範囲At及びその近傍を含む範囲At+αにおいて外周面が切り欠かれ、ヨーク部22におけるモータの径方向の大きさ(ヨーク厚さ)が小さくなって剛性が小さく、ティースが振動し易い形状である。しかし、上述のようにコア2は、このヨーク厚さが小さい部分が軸方向に厚肉であるため、ティース21の振動を効果的に低減できる。従って、例えば、隙間gが小さくても、ティース21の振動による騒音の発生を低減することができると考えられる。また、隙間gを所定の大きさにしている場合、仮にティース21が振動しても、その振動(振幅)は小さいと考えられ、ケース100に接触する可能性を低減できる。従って、コア2は、ティース21の振動による騒音の発生を効果的に低減することができると考えられる。
【００４０】
また、コア2は、ヨーク部22において範囲At+αの全域に突出部22Bを具えることで、十分に剛性を高められると共に、成形し易いと考えられる。更に、コア2は、実施例1と同様にヨーク部22の周方向の一部にのみ突出部22Bを具えることで、構成材料の低減、引いては軽量化を図ることができる。加えて、コア2は、実施例1と同様に突出部22Bの突出厚さとコイルの突出厚さとが実質的に等しいため、このコア2を具えるステーターは、突出部を有していないステーターと同程度の大きさとすることができる。
【００４１】
なお、上述した実施例は、本発明の要旨を逸脱することなく、適宜変更することが可能であり、上述した構成に限定されるものではない。例えば、突出部が設けられる範囲(モータの径方向の範囲、ヨーク部の周方向の範囲、モータの軸方向の範囲)を適宜変更することができる。また、いずれか一方のコイルエンド側にのみ突出部を具えてもよい。
【産業上の利用可能性】
【００４２】
本発明ステーターコアは、リラクタンスモータの構成部材に好適に利用することができる。本発明コアを具えるリラクタンスモータは、種々の家電製品やモータを利用する乗り物、例えば、電気自転車、電気自動車、ハイブリッド自動車などのモータに好適に利用できる。
【図面の簡単な説明】
【００４３】
【図１】(I)は、本発明リラクタンスモータ用のステーターコアをコイルエンド側から見た正面図、(II)は、このコアを外周側から平面的に見た部分図である。
【図２】本発明リラクタンスモータ用のステーターコアをコイルエンド側から見た正面図であり、コアの外周にケースを具えるものを示す。
【符号の説明】
【００４４】
1,2  ステーターコア  10  コイル  11,21  ティース
11e,21e  ティースのコイルエンド面  11s  ティースのコイルサイド面
12,22  ヨーク部  12B,22B  突出部  12e,22e  突出面  12f,22f  平坦面
12c  連結面  12i,22i  内周面  12o,22o  外周面  12I,22I  内周側縁
12O,22O  外周側縁  22of  平面  22oc  樋状面  100  ケース
【図１】
2008295185.tif 000003
【図２】
2008295185.tif 000004